(57)【特許請求の範囲】
【請求項１】
サウナ室の床面に設置されて麦飯石を外側壁に集積外装するレンガ台と、前記麦飯石の蓄熱時にサウナ室の床面に上昇してレンガ台の外側壁を包囲状態で加熱するとともに前記麦飯石の放熱時にサウナ室の床下スペースに下降してレンガ台から退避する加熱炉と、該加熱炉を昇降させる加熱炉昇降機構とを備えた加熱炉上昇型麦飯石サウナ装置であって、
前記麦飯石の蓄熱時にレンガ台の外側壁と加熱炉の内側壁との間を気密状態に保持する凹凸係合構造が、前記レンガ台の上方端と加熱炉の上方端との相互間および前記レンガ台の下方端と加熱炉の下方端との相互間にそれぞれ形成されていることを特徴とする加熱炉上昇型麦飯石サウナ装置。
【請求項２】
前記麦飯石の蓄熱時にレンガ台の外側壁と加熱炉の内側壁との間からの外部放熱を遮断する耐火レンガが、前記レンガ台の上方端および下方端と加熱炉の上方端および下方端とにそれぞれ配置されていることを特徴とする請求項１記載の加熱炉上昇型麦飯石サウナ装置。
【請求項３】
前記レンガ台が、円柱体で形成されているとともに、
前記加熱炉が、前記レンガ台を包囲可能な円筒体で形成されていることを特徴とする請求項１または請求項２記載の加熱炉上昇型麦飯石サウナ装置。
【請求項４】
前記加熱炉昇降機構が、前記加熱炉の下方端に配置されて加熱炉を昇降動させる昇降用カムと、該昇降用カムに螺合した状態で回転するスクリューシャフトと、該スクリューシャフトを回転駆動する電気モータとを備えていることを特徴とする請求項１乃至請求項３のいずれかに記載の加熱炉上昇型麦飯石サウナ装置。
【発明の詳細な説明】
【技術分野】
【０００１】
本発明は、サウナ装置に係り、特に、サウナ室内を昇温させる熱源として麦飯石を用いるとともに該麦飯石の蓄熱時に加熱炉を上昇させてレンガ台を包囲する加熱炉上昇型麦飯石サウナ装置に関する。
【背景技術】
【０００２】
従来、サウナ装置として、電気加熱炉によって加熱された遠赤外線放射石を所定位置にまで台車を用いて搬送するサウナ装置がある（例えば、特許文献１参照。）。
【特許文献１】特開２００５−１８５４７５号公報
【発明の開示】
【発明が解決しようとする課題】
【０００３】
ところが、従来のサウナ装置では、遠赤外線放射石を加熱するための電気加熱炉や遠赤外線放射石を搬送する台車を移動させるための搬送路をサウナ利用者が熱浴するフロアと同じフロア内に設置しているため、この電気加熱炉や搬送路を設置した分だけサウナ利用者の利用スペースが狭くなるという問題があった。
【０００４】
そこで、本発明は、従来の問題を解決するものであって、すなわち、本発明の目的は、麦飯石の蓄熱時に加熱炉がレンガ台に対して上昇するように設計してサウナ利用者が熱浴する利用スペースをサウナ室の床面により広く確保するとともに、レンガ台の外側壁と加熱炉の内側壁との間の気密性を維持して麦飯石の加熱効率を向上し、しかも、サウナ室内の室温にムラを生じさせることなく一定の室温に維持する加熱炉上昇型麦飯石サウナ装置を提供することである。
【課題を解決するための手段】
【０００５】
請求項１に係る本発明は、サウナ室の床面に設置されて麦飯石を外側壁に集積外装するレンガ台と、前記麦飯石の蓄熱時にサウナ室の床面に上昇してレンガ台の外側壁を包囲状態で加熱するとともに前記麦飯石の放熱時にサウナ室の床下スペースに下降してレンガ台から退避する加熱炉と、該加熱炉を昇降させる加熱炉昇降機構とを備えた加熱炉上昇型麦飯石サウナ装置であって、前記麦飯石の蓄熱時にレンガ台の外側壁と加熱炉の内側壁との間を気密状態に保持する凹凸係合構造が、前記レンガ台の上方端と加熱炉の上方端との相互間および前記レンガ台の下方端と加熱炉の下方端との相互間にそれぞれ形成されていることにより、前述した課題を解決したものである。
【０００６】
請求項２に係る本発明は、請求項１記載の構成に加えて、前記麦飯石の蓄熱時にレンガ台の外側壁と加熱炉の内側壁との間からの外部放熱を遮断する耐火レンガが、前記レンガ台の上方端および下方端と加熱炉の上方端および下方端とにそれぞれ配置されていることにより、前述した課題を解決したものである。
【０００７】
請求項３に係る本発明は、請求項１または請求項２記載の構成に加えて、前記レンガ台が円柱体で形成されているとともに、前記加熱炉が前記レンガ台を包囲可能な円筒体で形成されていることにより、前述した課題を解決したものである。
【０００８】
請求項４に係る本発明は、請求項１乃至請求項３のいずれかに記載の構成に加えて、前記加熱炉昇降機構が、前記加熱炉の下方端に配置されて加熱炉を昇降動させる昇降用カムと、該昇降用カムに螺合した状態で回転するスクリューシャフトと、該スクリューシャフトを回転駆動する電気モータとを備えていることにより、前述した課題を解決したものである。
【発明の効果】
【０００９】
請求項１に係る本発明の加熱炉上昇型麦飯石サウナ装置によれば、サウナ室の床面に設置されて麦飯石を外側壁に集積外装するレンガ台と、サウナ室の床下スペースとサウナ室の床面との間を昇降する加熱炉と、加熱炉を昇降させる加熱炉昇降機構とを備えていることにより、麦飯石の蓄熱時に加熱炉昇降機構を用いて加熱炉をサウナ室の床面に上昇させてレンガ台の外側壁に集積外装された麦飯石を包囲状態で加熱するので、サウナ室内の温度状況に応じて麦飯石を加熱してサウナ室内の室温を安定して一定に維持することができる。
【００１０】
また、麦飯石の放熱時に加熱炉がサウナ室の床下スペースに下降してレンガ台から退避するように設計されていることにより、サウナ室の床面が加熱炉を退避させる退避スペースや加熱炉を移動させる移動スペースなどで制限されないため、サウナ利用者が熱浴する利用スペースをサウナ室の床面により広く確保して快適な熱浴環境を提供することができる。
【００１１】
そして、加熱炉が垂直方向に向けて昇降するように設計されていることにより、麦飯石の蓄熱時に加熱炉がサウナ室の床面に上昇してレンガ台の外側壁を全面に亘って包囲するため、レンガ台の外側壁に集積外装された各麦飯石を気密性を確保した状態で均等に加熱して各麦飯石の温度を一定に保つことができる。
【００１２】
さらに、凹凸係合構造がレンガ台の上方端と加熱炉の上方端との相互間およびレンガ台の下方端と加熱炉の下方端との相互間にそれぞれ形成されていることにより、この凹凸係合構造が麦飯石の蓄熱時にレンガ台の外側壁と加熱炉の内側壁との間を気密状態に保持するので、加熱炉による麦飯石の加熱効率を向上して麦飯石の蓄熱時間を著しく短縮することができる。
【００１３】
請求項２に係る本発明の加熱炉上昇型麦飯石サウナ装置によれば、請求項１記載の加熱炉上昇型麦飯石サウナ装置が奏する効果に加えて、耐火レンガがレンガ台の上方端および下方端と加熱炉の上方端および下方端とにそれぞれ配置されていることにより、麦飯石の蓄熱時に耐火レンガがレンガ台の外側壁と加熱炉の内側壁との間からの外部放熱を遮断して気密性を維持するので、サウナ室内に余分な熱を放熱することなく加熱炉による麦飯石の加熱効率を向上することができる。
【００１４】
請求項３に係る本発明の加熱炉上昇型麦飯石サウナ装置によれば、請求項１または請求項２記載の加熱炉上昇型麦飯石サウナ装置が奏する効果に加えて、レンガ台が円柱体で形成されていることにより、レンガ台の外周壁に集積外装された麦飯石がサウナ室内における水平方向の全方位に向けて均等に放熱するため、サウナ室内の室温にムラを生じさせることなく一定に維持することができる。
【００１５】
また、加熱炉がレンガ台を包囲可能な円筒体で形成されていることにより、レンガ台の外周壁と加熱炉の内周壁との間隔を一定に保持した状態で加熱炉がレンガ台の外周壁を全面に亘って包囲して各麦飯石を均等に加熱するため、このようにして均等に加熱された麦飯石でサウナ室全体をムラなく昇温させることができる。
【００１６】
請求項４に係る本発明の加熱炉上昇型麦飯石サウナ装置によれば、請求項１乃至請求項３のいずれかに記載の加熱炉上昇型麦飯石サウナ装置が奏する効果に加えて、加熱炉昇降機構が、昇降用カムとスクリューシャフトと電気モータとを備えていることにより、電気モータにより回転駆動するスクリューシャフトに螺合した昇降用カムがスクリューシャフトの回転に伴って昇降して、この昇降用カムを下方端に配置した加熱炉が昇降動するので、電気モータによる小さい駆動力で重量物である加熱炉を等速状態で昇降させて、過分な駆動力を必要とすることなく加熱炉の安定した昇降動を実現することができる。
【発明を実施するための最良の形態】
【００１７】
本発明の加熱炉上昇型麦飯石サウナ装置は、サウナ室の床面に設置されて麦飯石を外側壁に集積外装するレンガ台と、麦飯石の蓄熱時にサウナ室の床面に上昇してレンガ台の外側壁を包囲状態で加熱するとともに麦飯石の放熱時にサウナ室の床下スペースに下降してレンガ台から退避する加熱炉と、加熱炉を昇降させる加熱炉昇降機構とを備えて、麦飯石の蓄熱時に加熱炉がレンガ台に対して上昇するように設計してサウナ利用者が熱浴する利用スペースをサウナ室の床面により広く確保するとともに、レンガ台の外側壁と加熱炉の内側壁との間の気密性を維持して麦飯石の加熱効率を向上し、しかも、サウナ室内の室温にムラを生じさせることなく一定の室温に維持するものであれば、その具体的な実施の態様は、如何なるものであっても何ら構わない。
【００１８】
例えば、本発明の加熱炉上昇型麦飯石サウナ装置で用いられるレンガ台の具体的な態様については、レンガ台の外側壁に集積外装された麦飯石がサウナ室全体に対して均等に放熱してムラを生じさせることなく昇温させるものであれば、円柱状で形成されたもの、断面が正多角形で形成されたもの等の如何なるものであっても良い。
【００１９】
また、本発明の加熱炉上昇型麦飯石サウナ装置で用いられる加熱炉の具体的な態様については、加熱炉の内側壁とレンガ台の外側壁との間隔を一定に保持した状態でレンガ台の外側壁を全面に亘って包囲して各麦飯石を均等に加熱するものであれば、レンガ台を包囲可能な円筒状で形成されたもの、その側壁が正多角形で形成されてレンガ台を包囲可能な筒状のもの等の如何なるものであっても良い。
【００２０】
また、本発明の加熱炉上昇型麦飯石サウナ装置で用いられる加熱炉昇降機構の具体的な態様については、加熱炉の安定した昇降動作を実現するものであれば如何なる態様であっても何ら構わない。
【実施例】
【００２１】
以下、本発明の一実施例である加熱炉上昇型麦飯石サウナ装置１００を図面に基づいて説明する。
ここで、図１は、本発明の一実施例である加熱炉上昇型麦飯石サウナ装置の全体概要図であり、図２は、麦飯石の放熱時における加熱炉上昇型麦飯石サウナ装置を示す断面図であり、図３は、麦飯石の蓄熱時における加熱炉上昇型麦飯石サウナ装置を示す断面図であり、図４は、レンガ台と加熱炉とレンガ台支持体を上方から見た平面図であり、図５は、加熱炉が床下スペースに収容された状態を示す動作説明図であり、図６は、加熱炉が上昇する途中の状態を示す動作説明図であり、図７は、加熱炉が上昇しきった状態を示す動作説明図である。
【００２２】
まず、本発明の一実施例である加熱炉上昇型麦飯石サウナ装置１００は、図１に示すように、サウナ室の床面Ａに設置されて麦飯石１１１を外側壁に集積外装したレンガ台１１０と、サウナ室の床面Ａとサウナ室の床下スペースＷとの間を昇降して上昇時にレンガ台１１０の麦飯石１１１を加熱して蓄熱させる加熱炉１２０と、加熱炉１２０を昇降させる加熱炉昇降機構１３０とを基本的な装置構成として備えている。
なお、前述した床下スペースＷは、加熱炉１２０を下降時に収容するとともに加熱炉昇降機構１３０を設置するためにサウナ室の床下側に設けられた空間である。
【００２３】
まず、レンガ台１１０について、図１乃至図４に基づいて説明する。
レンガ台１１０は、図１乃至図４に示すように、床下スペースＷに立脚したレンガ台支持体１１２により支持されて、サウナ室の床面Ａ側に突出している。
このレンガ台１１０は、図１乃至図４に示すように、円柱体を呈するとともに、蓄熱体としての麦飯石１１１を外側壁に集積外装しており、この麦飯石１１１は、ジルコンを多量に含有した花崗はん岩からなり、α線や遠赤外線を多量にサウナ室内に放射してサウナ室内の室温を昇温させるようになっている。
【００２４】
レンガ台１１０の上方端および下方端には、図２に示すように、耐火レンガ１１３ａ、１１３ｂが段差状にそれぞれ配置されており、このレンガ台１１０の耐火レンガ１１３ａ、１１３ｂは、加熱炉１２０の上昇時に後述する加熱炉１２０の耐火レンガ１２２ａ、１２２ｂとそれぞれ凹凸係合してレンガ台１１０の外側壁と加熱炉１２０の内側壁との間を気密状態に保持して外部放熱を遮断するようになっている。
【００２５】
次に、加熱炉１２０について、図１乃至図７に基づいて説明する。
加熱炉１２０は、図１乃至図４に示すように、断熱材から成形されているとともに、レンガ台１１０を包囲可能な円筒状を呈しており、加熱炉１２０の内側壁側には、レンガ台１１０の麦飯石１１１を加熱する電熱ヒータ１２１が装着されている。
【００２６】
加熱炉１２０の上方端および下方端には、耐火レンガ１２２ａ、１２２ｂが段差状にそれぞれ配置されており、前述したようにレンガ台１１０の耐火レンガ１１３ａ、１１３ｂとそれぞれ凹凸係合してレンガ台１１０の外側壁と加熱炉１２０の内側壁との間を気密状態に保持して外部放熱を遮断するようになっている。
【００２７】
加熱炉１２０は、図１乃至図７に示すように、後述する加熱炉用昇降ベース１３１の上面に設置されて垂直方向に向けて昇降駆動するようになっており、図５に示すように、麦飯石１１１の放熱時にサウナ室の床下スペースＷに下降して退避するとともに、図７に示すように、麦飯石１１１の蓄熱時にサウナ室床面Ａに上昇して電熱ヒータ１２１でレンガ台１１０の外側壁を包囲状態で加熱するように設計されている。
なお、図６は、図５に示す加熱炉１２０が床下スペースＷに収容された状態から、図７に示す加熱炉１２０がサウナ室の床面Ａにまで上昇しきった状態との間における加熱炉１２０の上昇途中の状態を示す図である。
また、図１及び図５乃至図７において、レンガ台１１０の上面に載置された麦飯石１１１は、装飾用として配置されたものである。
【００２８】
次に、加熱炉昇降機構１３０について、図１乃至図３に基づいて説明する。
加熱炉昇降機構１３０は、図１乃至図３に示すように、前述した加熱炉１２０をその上面に設置する加熱炉用昇降ベース１３１と、この加熱炉用昇降ベース１３１の下方端に配置された昇降用カム１３２と、垂直方向に延設されて昇降用カム１３２に螺合した状態で回転するスクリューシャフト１３３と、スクリューシャフト１３３を回転駆動する電気モータ１３４とを備えており、電気モータ１３４により回転駆動するスクリューシャフト１３３に螺合した昇降用カム１３２がスクリューシャフト１３３の回転に伴って昇降して、加熱炉用昇降ベース１３１を昇降駆動するように設計されている。
なお、図１乃至図３に示す符号１３５は、加熱炉用昇降ベース１３１を支持するとともに加熱炉用昇降ベース１３１の昇降動作をガイドする鉄骨ベースである。
【００２９】
このようにして得られた本実施例の加熱炉上昇型麦飯石サウナ装置１００は、サウナ室床面Ａに設置されて麦飯石１１１を外側壁に集積外装するレンガ台１１０と、サウナ室の床下スペースＷとサウナ室の床面Ａとの間を昇降する加熱炉１２０と、加熱炉１２０を昇降させる加熱炉昇降機構１３０とを備えている。
したがって、麦飯石１１１の蓄熱時に加熱炉昇降機構１３０を用いて加熱炉１２０をサウナ室の床面Ａに上昇させてレンガ台１１０の外側壁に集積外装された麦飯石１１１を包囲状態で加熱するので、サウナ室内の温度状況に応じて麦飯石１１１を加熱してサウナ室内の室温を安定して一定に維持することができる。
【００３０】
また、加熱炉１２０が、麦飯石１１１の放熱時にサウナ室の床下スペースＷに下降して退避するように設計されている。
したがって、サウナ室の床面Ａが加熱炉１２０を退避させる退避スペースや加熱炉１２０を移動させる移動スペースなどで制限されないため、サウナ利用者が熱浴する利用スペースをサウナ室の床面Ａにより広く確保して快適な熱浴環境を提供することができる。
【００３１】
そして、加熱炉１２０が、垂直方向に向けて昇降するように設計されている。
したがって、麦飯石１１１の蓄熱時に加熱炉１２０がサウナ室の床面Ａに上昇してレンガ台１１０の外側壁を全面に亘って包囲するため、レンガ台１１０の外側壁に集積外装された各麦飯石１１１を気密性を確保した状態で均等に加熱して各麦飯石１１１の温度を一定に保つことができる。
【００３２】
また、凹凸係合構造が、レンガ台１１０の上方端と加熱炉１２０の上方端との相互間およびレンガ台１１０の下方端と加熱炉１２０の下方端との相互間にそれぞれ形成されている。
したがって、この凹凸係合構造が麦飯石１１１の蓄熱時にレンガ台１１０の外側壁と加熱炉１２０の内側壁との間を気密状態に保持するので、加熱炉１２０による麦飯石１１１の加熱効率を向上して麦飯石１１１の蓄熱時間を著しく短縮することができる。
【００３３】
また、耐火レンガ１１３ａ、１１３ｂ、１２２ａ、１２２ｂが、レンガ台１１０の上方端および下方端と加熱炉１２０の上方端および下方端とにそれぞれ配置されている。
したがって、麦飯石１１１の蓄熱時に耐火レンガ１１３ａ、１１３ｂ、１２２ａ、１２２ｂがレンガ台１１０の外側壁と加熱炉１２０の内側壁との間からの外部放熱を遮断して気密性を維持するので、サウナ室内に余分な熱を放熱することなく加熱炉１２０による麦飯石１１１の加熱効率を向上することができる。
【００３４】
また、レンガ台１１０が円柱体で形成されていることにより、レンガ台１１０の外周壁に集積外装された麦飯石１１１がサウナ室内における水平方向の全方位に向けて均等に放熱するため、サウナ室内の室温にムラを生じさせることなく、一定に維持することができる。
【００３５】
また、加熱炉１２０がレンガ台１１０を包囲可能な円筒体で形成されていることにより、レンガ台１１０の外周壁と加熱炉１２０の内周壁との間隔を一定に保持した状態で加熱炉１２０がレンガ台１１０の外周壁を全面に亘って包囲して各麦飯石１１１を均等に加熱するため、このようにして均等に加熱された麦飯石１１１でサウナ室全体をムラなく昇温させることができる。
【００３６】
そして、加熱炉昇降機構１３０が、昇降用カム１３２とスクリューシャフト１３３と電気モータ１３４とを備えている。
したがって、電気モータ１３４により回転駆動するスクリューシャフト１３３に螺合した昇降用カム１３２がスクリューシャフト１３３の回転に伴って昇降して、この昇降用カム１３２を下方端に配置した加熱炉１２０が昇降動するので、電気モータ１３４による小さい駆動力で重量物である加熱炉１２０を等速状態で昇降させて、過分な駆動力を必要とすることなく加熱炉１２０の安定した昇降動を実現できるなど、その効果は甚大である。
【図面の簡単な説明】
【００３７】
【図１】本発明の一実施例である加熱炉上昇型麦飯石サウナ装置の全体概要図。
【図２】麦飯石の放熱時における加熱炉上昇型麦飯石サウナ装置を示す断面図。
【図３】麦飯石の蓄熱時における加熱炉上昇型麦飯石サウナ装置を示す断面図。
【図４】レンガ台と加熱炉とレンガ台支持体を上方から見た平面図。
【図５】加熱炉が床下スペースに収容された状態を示す動作説明図。
【図６】加熱炉が上昇する途中の状態を示す動作説明図。
【図７】加熱炉が上昇しきった状態を示す動作説明図。
【符号の説明】
【００３８】
１００    ・・・  加熱炉上昇型麦飯石サウナ装置
１１０    ・・・  レンガ台
１１１    ・・・  麦飯石
１１２    ・・・  レンガ台支持体
１１３ａ  ・・・  耐火レンガ
１１３ｂ  ・・・  耐火レンガ
１２０    ・・・  加熱炉
１２１    ・・・  電熱ヒータ
１２２ａ  ・・・  耐火レンガ
１２２ｂ  ・・・  耐火レンガ
１３０    ・・・  加熱炉昇降機構
１３１    ・・・  加熱炉用昇降ベース
１３２    ・・・  昇降用カム
１３３    ・・・  スクリューシャフト
１３４    ・・・  電気モータ
１３５    ・・・  鉄骨ベース
Ｗ      ・・・  サウナ室の床下スペース
Ａ      ・・・  サウナ室の床面
【図１】
0004663004.tif 000002
【図２】
0004663004.tif 000003
【図３】
0004663004.tif 000004
【図４】
0004663004.tif 000005
【図５】
0004663004.tif 000006
【図６】
0004663004.tif 000007
【図７】
0004663004.tif 000008